(57)【特許請求の範囲】
【請求項１】
携帯機器に固定され、先端部が所定部材を挟み込む方向に付勢される第１フックと、
前記第１フックより長手方向に長く形成され、前記第１フックに取付け取外し可能に設けられる第２フックと、
を備える携帯機器用アッタッチメントであって、
前記第２フックには、該第２フックを前記第１フックに取り付ける際に、該第１フックが挿入される第１開口部が形成されており、
前記第２フックの一端側には、該第２フックの一端側が前記第１フックの一端側の外側に係合するための係合手段が設けられており、
前記第２フックの他端側には、前記第１フックの他端側の先端部に形成された凸状部が挿入されることにより係合する第２開口部が設けられている、
ことを特徴とする携帯機器用アタッチメント。
【請求項２】
請求項１記載の携帯機器用アタッチメントであって、
前記係合手段は、前記第１フックの一端側の外側に係合する爪部である、ことを特徴とする携帯機器用アタッチメント。
【請求項３】
請求項２記載の携帯機器用アタッチメントであって、
前記爪部は、前記第２フックの一端側の両側方及び先端部のうち少なくとも一方に形成されている、ことを特徴とする携帯機器用アッタッチメント。
【請求項４】
請求項３記載の携帯機器用アタッチメントであって、
前記爪部は、前記第２フックの一端側の両側方に形成され内側に突出する一対の係合用凸状部であり、該各係合用凸状部は前記第１フックの一端側の両側方で外側に形成された一対の係合用凹状部に夫々係合する、ことを特徴とする携帯機器用アタッチメント。
【請求項５】
請求項１乃至４のうちいずれか１項記載の携帯機器用アタッチメントであって、
前記第１及び第２フックは樹脂で形成されている、ことを特徴とする携帯機器用アタッチメント。
【請求項６】
請求項１乃至５のうちいずれか１項記載の携帯機器用アタッチメントであって、
前記所定部材はベルトである、ことを特徴とする携帯機器用アタッチメント。
【請求項７】
請求項１乃至６のうちいずれか１項記載の携帯機器用アタッチメントであって、
前記携帯機器は携帯型無線機器である、ことを特徴とする携帯機器用アタッチメント。
【請求項８】
携帯機器に固定され、他端側の先端部が所定部材を挟み込む方向に付勢される第１フックと、
前記第１フックより長手方向に長く形成され、前記第１フックに取付け取外し可能に設けられる第２フックと、
を備える携帯機器用アッタッチメントの取付方法であって、
前記第２フックに形成された第１開口部に前記第１フックを挿入し、
前記第２フックの一端側を前記第１フックの一端側の外側に係合し、
前記第１フックの他端側の先端部に形成された凸状部を前記第２フックの他端側に形成された第２の開口部に挿入されることにより係合する、
ことを特徴とする携帯機器用アタッチメントの取付方法。
【発明の詳細な説明】
【技術分野】
【０００１】
本発明は、例えば、携帯機器をベルトなどに取付けるための携帯機器用アタッチメント、及びその取付方法に関するものである。
【背景技術】
【０００２】
携帯機器用アタッチメントのフックを利用して、携帯機器をベルトなどの所定部材に留めることが一般に行われている。ここでユーザは、携帯機器をフックによりベルトに留める場合、例えば、使用されるベルトの幅に応じて、幅の広いベルトに対して幅の広いベルト用フックを選択し、幅の狭いベルトに対して幅の狭いベルト用フックを選択し、或いは、単純に、両方を組み合わせたベルト用フックを選択している。このため、その利便性、大きさ、重量などにおいて問題が生じている。
【０００３】
また、携帯機器の使用環境に関しては、例えば、携帯機器をベルトなどに常時フックで固定して外部ＳＰ（スピーカ）／ＭＩＣ（マイク）などを利用して運用する場合と、通常時は携帯機器をベルトに固定し、通話時などはベルトから外して手で持って運用する場合と、が存在する。前者の場合はそのフックの大きさはさほど問題にはならないが、後者の場合は手に持った時に違和感のない程度の大きさであることが要望されている。
【先行技術文献】
【特許文献】
【０００４】
【特許文献１】特開２０００−１８３５５０号公報
【発明の概要】
【発明が解決しようとする課題】
【０００５】
このように、同一の携帯機器においてもその使用環境によって、各フックに求められる要求が異なり、夫々の使用環境における要求を満足するフックが要望されている。これに対し、携帯品に取り付けられて、ベルトへの掛け止めにより携帯品を装着する携帯機器用ベルトクリップが知られている（例えば、特許文献１参照）。当該携帯機器用ベルトクリップにおいては、ベルトの厚さや幅が異なっても、所定の挟持力でベルトに保持できるが、その構成が複雑となりコスト増加に繋がる虞がある。
【０００６】
本発明は、このような問題点を解決するためになされたものであり、簡易な構成で所定部材を最適に挟持できる携帯機器用アタッチメント、及びその取付方法を提供することを主たる目的とする。
【課題を解決するための手段】
【０００７】
上記目的を達成するための本発明の一態様は、携帯機器に固定され、先端部が所定部材を挟み込む方向に付勢される第１フックと、前記第１フックより長手方向に長く形成され、前記第１フックに取付け取外し可能に設けられる第２フックと、を備える携帯機器用アッタッチメントであって、前記第２フックには、該第２フックを前記第１フックに取り付ける際に、該第１フックが挿入される第１開口部が形成されており、前記第２フックの一端側には、該第２フックの一端側が前記第１フックの一端側の外側に係合するための係合手段が設けられており、前記第２フックの他端側には、前記第１フックの他端側の先端部に形成された凸状部が挿入されることにより係合する第２開口部が設けられている、ことを特徴とする携帯機器用アタッチメントである。
この一態様において、前記係合手段は、前記第１フックの一端側の外側に係合する爪部であってもよい。
この一態様において、前記爪部は、前記第２フックの一端側の両側方及び先端部のうち少なくとも一方に形成されていてもよい。
この一態様において、前記爪部は、前記第２フックの一端側の両側方に形成され内側に突出する一対の係合用凸状部であり、該各係合用凸状部は前記第１フックの一端側の両側方で外側に形成された一対の係合用凹状部に夫々係合してもよい。
この一態様において、前記第２係合手段は、前記第１フックの他端側の先端部に形成された凸状部が挿入され係合する第２開口部であってもよい。
この一態様において、前記第１及び第２フックは樹脂で形成されていてもよい。これにより、コスト低減及び軽量化を図ることができる。
この一態様において、前記所定部材は、例えば、ベルトであってもよい。
この一態様において、前記携帯機器は、例えば、携帯型無線機器であってもよい。
他方、上記目的を達成するための本発明の一態様は、携帯機器に固定され、他端側の先端部が所定部材を挟み込む方向に付勢される第１フックと、前記第１フックより長手方向に長く形成され、前記第１フックに取付け取外し可能に設けられる第２フックと、を備える携帯機器用アッタッチメントの取付方法であって、前記第２フックに形成された第１開口部に前記第１フックを挿入し、前記第２フックの一端側を前記第１フックの一端側の外側に係合し、前記第１フックの他端側の先端部に形成された凸状部を前記第２フックの他端側に形成された第２の開口部に挿入されることにより係合する、ことを特徴とする携帯機器用アタッチメントの取付方法であってもよい。
【発明の効果】
【０００８】
本発明によれば、簡易な構成で所定部材を最適に挟持できる携帯機器用アタッチメント、及びその取付方法を提供することができる。
【図面の簡単な説明】
【０００９】
【図１】本発明の一実施の形態に係る携帯機器用アタッチメントの概略的構成を斜視図である。
【図２】図１に示す携帯機器用アタッチメントを裏側から見た斜視図である。
【図３】（ａ）第１フックを分解し斜め方向から見た分解斜視図である。（ｂ）第１フックを斜め裏側から見た斜視図である。
【図４】（ａ）第２フックを表側から見た斜視図である。（ｂ）第２フックを裏側から見た斜視図である。
【図５】本発明の一実施の形態に係る携帯機器用アタッチメントが携帯機器に取付けられた状態を示す図である。
【図６】（ａ）第１フックに第２フックを取り付ける取付方法を説明するための図である。（ｂ）第１フックに第２フックを取り付ける取付方法を説明するための図である。
【図７】（ａ）第１フックを幅の狭いベルトに挟持させた状態を示す図である。（ｂ）一体化した第１フック及び第２フックを幅の広いベルトに挟持させた状態を示す図である。
【図８】（ａ）ストラップ用孔が形成された第１フックを示す斜視図である。（ｂ）ストラップ用孔が形成された第２フックを示す斜視図である。
【発明を実施するための形態】
【００１０】
以下、図面を参照して本発明の一実施の形態について説明する。図１は、本発明の一実施の形態に係る携帯機器用アタッチメントの概略的構成を斜視図である。図２は、図１に示す携帯機器用アタッチメントを裏側から見た斜視図である。図５は、携帯機器用アタッチメント１０が携帯機器１００に取付けられた状態を示す斜視図である。
【００１１】
本実施の形態に係る携帯機器用アタッチメント１０は、携帯機器１００に固定され、先端部１３ｂがベルト１１０などの所定部材１１０を挟み込む方向に付勢される第１フック１と、第１フック１より長手方向に長く形成され、第１フック１に取付け取外し可能に設けられる第２フック２と、を備えている。
【００１２】
第１フック１は、携帯機器１００にスライド式や嵌め込み式で固定される固定部１１と、固定部１１にピンなどの軸部材１２を介して揺動可能に取付けられる第１フック本体１３と、を有している（図３（ａ））。固定部１１及び第１フック本体１３には、夫々、一対の取付孔１１ａ、１３ａが形成され、これら取付孔１１ａ、１３ａ間にはコイルバネ１４が設けられる。軸部材１２はこれら取付孔１１ａ、１３ａ及びコイルバネ１４内に挿入され固定されている。コイルバネ１４の弾性力により、第１フック本体１３の他端側Ｘ２の先端部１３ｂが、軸部材１２と中心にして挟み込む方向（閉じる方向）に付勢される。
【００１３】
第１フック本体１３の他端側Ｘ２の先端部１３ｂには、後述の第２フック２の第２開口部２２に挿入される凸状部１３ｃが形成されている（図３（ｂ））。また、第１フック本体１３の裏側には、その長手方向に沿って、複数のリブ１３ｄが形成されている。これにより、第１フック１の剛性を向上させることができる。
【００１４】
第２フック２の略中央には、第２フック２を第１フック１に取り付ける際に、第１フック１が挿入される略矩形状の第１開口部２１が形成されている（図４（ａ））。また、第２フック２の他端側Ｘ２には、第２フック２を第１フック１に取り付ける際に、第１フック１の先端部１３ｂの凸状部１３ｃが挿入される略楕円状の第２開口部２２が形成されている。さらに、第２フック２の他端側Ｘ２には、第１フック１と一体となったときに、図７に示すベルト１１０などを把持するための凸状部２４が形成されている。なお、第１フック１及び第２フック２は、例えば、樹脂により形成されている。これにより、製造コスト低減を図りつつ、軽量化をも図ることができる。
【００１５】
第２フック２の一端側Ｘ１の両側方には、内側に突出する爪状の係合用凸状部２３が一対形成されている（図４（ｂ））。一方、第１フック１の一端側Ｘ１の両側方の外側には、第２フック２の各係合用凸状部２３に対応して、切欠け状の係合用凹状部１５が一対形成されている(図６（ａ）)。
【００１６】
第１フック１に第２フック２が取付けられる際に、第２フック２の第１開口部２１に第１フック２が挿通され、第２フック２の一端側Ｘ１の各係合用凸状部２３が第１フック１の一端側Ｘ１の各係合用凹状部１５に係合する。これにより、第２フック２の一端側Ｘ１は、第１フック１の一端側Ｘ１の外側に係合する。同様に、第１フック１の先端部１３ｂの凸状部１３ｃが第２フック２の第２開口部２２に挿入されることで、第１フック１の他端側Ｘ２の先端部１３ｂが第２フック２の他端側Ｘ２の外側に係合する。このように、第１フック１と第２フック２とが係合し、第１フック１及び第２フック２は一体化する。
【００１７】
このとき、第２フック２の一端側Ｘ１は第１フック１の一端側Ｘ１で係合し、この一端側Ｘ１を支点として、第２フック２の他端側Ｘ２は第１フック１の他端側Ｘ２により押圧され、所謂てこの原理を利用して、第１フック１と第２フック２は一体化している。したがって、第２フック２には大きな負荷が掛からないため、その信頼性向上に繋がる。また、上記のように、簡易な構成でしかもコンパクトに第１フック１及び第２フック２を一体できるため、従来と比較して、大幅な小型軽量化及びコスト低減を図ることができる。
【００１８】
なお、第２フック２の一端側Ｘ１の両側方に一対の係合用凸状部２３が形成されているが、これに限らず、例えば、第２フック２の一端側Ｘ１の先端部に単数或いは複数の係合用凸状部が形成される構成であってもよく、第１フック１と第２フック２を一端側で係合できれば任意の構成が適用可能である。この場合、第２フック２の一端側Ｘ１に形成された係合用凸状部に合わせて、第１フック１の一端側Ｘ１に係合用凹状部が形成される。
【００１９】
本実施の形態に係る携帯機器用アタッチメント１０は、例えば、携帯機器１００の背面に固定される（図５）。そして、第１フック１及び第２フック２をベルト１１０に挟持させることで、携帯機器１００をベルト１１０に容易かつ安定的に固定することができる。
【００２０】
なお、携帯機器１００として、例えば、携帯型無線機器１００が適用されるのが好ましい。本実施の形態に係る携帯機器用アタッチメント１０は様々なベルトに適切に対応でき小型軽量であることから、携帯型無線機器１００の小型軽量化及び利便性向上にも繋がる。
【００２１】
携帯型無線機器１００には、例えば、機器本体１０１の前面にスピーカ（不図示）が設けられ、機器本体１０１の上面にスピーカの出力音声の音量を調整するボリュームつまみ１０２、チャンネル切り替え用のチャンネルつまみ１０３、アンテナを接続するためのアンテナ端子（不図示）、などが設けられ、機器本体１０１の側面にヘッドホンなどを接続する接続端子１０４、携帯型無線機器１００の状態を音声受信状態から音声送信状態へと切り替えるためのプレストークスイッチ（不図示）などが設けられている。携帯機器用アタッチメント１０は、例えば、機器本体１０１の背面に取付けられる。
【００２２】
なお、本実施の形態に係る携帯機器１００としては、携帯型無線機器１００が適用されているが、これに限らずに、例えば、携帯電話機やＰＤＡであってもよく、任意の携帯機器が適用可能である。
【００２３】
次に、本実施の形態に係る携帯機器用アタッチメント１０における第１フック１に第２フック２を取り付ける取付方法について、詳細に説明する。
【００２４】
まず、第２フック２の第１開口部２１に第１フック１が挿入される。次に、例えば、第２フック２を時計方向に回転させつつ、第２フック２の一端側Ｘ１の各係合用凸状部２３を第１フック１の一端側Ｘ１の各係合用凹状部１５に夫々係合させる（図６（ａ））。同時に、第１フック１の先端部１３ｂの凸状部１３ｃを、第２フック２の第２開口部２２に挿入させ係合し、第１フック１と第２フック２を一体化させる（図６（ｂ））。
【００２５】
一方、第１フック１から第２フック２を取外す場合は、上記逆の動作を行う。すなわち、まず、第２フック２の一端側Ｘ１の各係合用凸状部２３と第１フック１の一端側Ｘ１の各係合用凹状部１５との係合を解除し、反時計方向に回転させる。そして、第２フック２の第１開口部２１から挿入された第１フック１を抜く。このように、第２フック２を第１フック１に、工具などを用いることなく、簡易に着脱することができる。
【００２６】
本実施の形態に係る携帯機器用アタッチメント１０を幅の狭いベルト１１０に挟持させる場合、図７（ａ）に示す如く、第１フック１に第２フック２を取り付けず、第１フック１のみでベルト１１０を挟持させる。第１フック１は、幅の狭いベルト１１０に合わせて、その長手方向の寸法が短く設計されている。このため、第１フック１は幅の狭いベルト１１０を最適に挟持できる。
【００２７】
一方、携帯機器用アタッチメント１０を幅の広いベルト１１０に挟持させる場合、図７（ｂ）に示す如く、第１フック１と第２フック２を一体化させ、一体化した第１フック１及び第２フック２でベルト１１０を挟持させる。第１フック１及び第２フック２が一体化すると、第２フック２が第１フック１から伝達される付勢力を用いて、ベルト１１０を挟持することとなる。ここで、第２フック２は、幅の広いベルト１１０に合わせて、その長手方向の寸法が長く設計されている。このため、第２フック２は幅の広いベルト１１０を最適に挟持できる。
【００２８】
なお、例えば、実際に挟持するベルト１１０に最小幅に合わせて第１フックの長手方向の長さを設計し、実際に挟持するベルト１１０の最大幅に合わせて第２フック２の長手方向の長さを設計してもよい。
【００２９】
以上、本実施の形態に係る携帯機器用アタッチメント１０において、第２フック２には、第２フック２を第１フック１に取り付ける際に、第１フック１が挿入される第１開口部２１が形成されており、第２フック２の一端側Ｘ１が第１フック１の一端側Ｘ１の外側に係合し、第１フック１の先端部１３ｂが第２フック２の他端側Ｘ２の外側に係合する。
【００３０】
これにより、ベルト１１０の幅に応じて、第１フック１のみ、あるいは、第１フック１及び第２フック２を一体化させベルト１１０を最適に挟持できる。さらに、工具等を用いること無く、第２フック２の第１開口部２１に第１フック１を挿入し、第２フック２の一端側Ｘ１の各係合用凸状部２３を第１フック１の一端側Ｘ１の各係合用凹状部１５に夫々係合させ、第１フック１の先端部１３ｂの凸状部１３ｃを第２フック２の第２開口部２２に挿入させ係合させるだけで、第１フック１と第２フック２を一体化できる簡易な構成となっている。すなわち、携帯機器用アタッチメント１０は、簡易な構成でベルト１１０を最適に挟持できる。
【００３１】
なお、本発明は上記実施の形態に限られたものではなく、趣旨を逸脱しない範囲で適宜変更することが可能である。
【００３２】
例えば、上記一実施の形態において、第１フック１及び第２フック２の一端側Ｘ１にストラップ用孔１６、２５が形成されていてもよい（図８（ａ）及び（ｂ））。第１フック１及び第２フック２が一体化したときに、これらストラップ用孔１６、２５は貫通し、ストラップを通すことができる。したがって、ユーザの利便性が向上する。
【符号の説明】
【００３３】
１    第１フック
２    第２フック
１０    携帯機器用アタッチメント
１１    固定部
１１ａ  取付孔
１２    軸部材
１３    第１フック本体
１３ａ  取付孔
１３ｂ  先端部
１３ｃ  凸状部
１４    コイルバネ
１５    係合用凹状部
２１    第１開口部
２２    第２開口部
２３    係合用凸状部
２４    凸状部
１００    携帯機器
１１０    ベルト
【図１】
0005729224.tif 000002
【図２】
0005729224.tif 000003
【図３】
0005729224.tif 000004
【図４】
0005729224.tif 000005
【図５】
0005729224.tif 000006
【図６】
0005729224.tif 000007
【図７】
0005729224.tif 000008
【図８】
0005729224.tif 000009